(57)【要約】【課題】  透明または半透明な部材を使用している歯科用光重合器の導光部から漏れる光を防止し、施術者の視覚に入らないようにまた歯牙の修復作業に支障をきたさないようにする。また導光部を床などに落下させても容易に破損しないようにする【解決手段】  可視光を誘導する導光部２の屈曲部２ａにおける少なくとも外径部を覆う筒状の遮光部材３を装着した。また屈曲性を良くするために開口部３ｃを形成しかつ遮光部材３の内面に複数のリブ３ｄを設けた歯科用光重合器である。【選択図】          図３
2005334393.tif 000002
【特許請求の範囲】
【請求項１】
可視光を誘導する導光部の屈曲部における少なくとも外径部を覆う筒状の遮光部材を装着したことを特徴とする歯科用光重合器。
【請求項２】
前記遮光部材の略中間部に、屈曲性を良くするための開口部を形成したことを特徴とする請求項１記載の歯科用光重合器。
【請求項３】
前記遮光部材の内面に導光部に対して線接触となるように複数のリブを形成したことを特徴とする請求項１記載の歯科用光重合器。
【請求項４】
前記遮光部材は柔軟性を有し、かつ、光不透過性のゴムや合成樹脂で形成したことを特徴とする請求項１記載の歯科用光重合器。
【発明の詳細な説明】
【技術分野】
【０００１】
本発明は歯科医院等で歯科治療を施す際に、歯牙の修復に使用する歯科用レジン等を硬化させる歯科用光重合器、特に、導光部より光が外部に漏れないように工夫を施した歯科用光重合器に関する。
【背景技術】
【０００２】
従来におけるこの種の歯科用光重合器は、例えば、特開平１０−１７９６１３号公報に歯科用光重合器の照射構造が開示されている。この歯科用光重合器にあっては、ＬＥＤやハロゲンなどの該光重合器から発生する光重合用の光が、ファイバー、石英、プラスチック等のライトガイド（導光部）に導かれ、該導光部から導出される光によって治療部位である歯牙の修復部に詰められた歯科用レジンを硬化させるようにした発明である。
【特許文献１】特開平１０−１７９６１３号
【発明の開示】
【発明が解決しようとする課題】
【０００３】
ところで、前記した歯科用光重合器にあっては、歯牙の修復部まで光を導くための導光部はファイバー、石英、プラスチック等の透明または半透明な部材で形成されているため歯牙の修復部に可視光を照射している時に、導光部内での光の乱反射などにより前記反射光がドクターなどの施術者（以下施術者という）の視覚に入ることがあり、目が眩んで歯牙の修復作業に支障をきたすという問題があった。
【０００４】
詳しくは図６に示すように、本体１に導光部２（前記した特許公報では１４）が設けられ、導光部２は照射部位に光を照射し易いように、また施術者が操作し易いように導光部２の先端部が屈曲している。
【０００５】
従って、施術者が歯科用光重合器を操作して、歯牙の修復部に光を照射している時、可視光は照射Ｘ方向に照射されるが、前記透明または半透明な部材を使用している導光部の場合、光の乱反射により、施術者のＹ方向、すなわち施術者の視覚Ａの方向に反射光が向かい施術者の視覚に入り、目をくらませて歯牙などの修復作業に支障をきたすという問題があった。
【０００６】
また、光の乱反射を防止する方法として、前記導光部の外表面に黒色の被膜を施すことにより可視光が外部に漏れないようにするものもある。この方法によれば、光が黒色被膜に吸収されることにより、導光部先端からの光の導光率が低くなり、歯牙の修復部への所望の光が得られず、歯科用レジンを硬化させるのに時間が掛かる、また十分な光を得ようとするならば、供給する電流値を上げるなど無駄なエネルギーを要することとなっていた。
【０００７】
さらには、歯科用光重合器を使用している最中や持ち運びなどの際に、本体に導光部を取付けて使用しているが、本体に装着した状態または導光部のみを床などに落下させた場合に、導光部を保護する部材がないために、該導光部が破損するという問題もあった。
【０００８】
本発明は前記した問題を解決せんとするもので、その目的とするところは、透明または半透明な部材を使用している歯科用光重合器の導光部から漏れる反射光を防止し、施術者の目に入らないようにし歯牙の修復作業に支障をきたさないようにするとともに、また導光部を床などに落下させても容易に破損しないようにした歯科用光重合器を提供せんとするにある。
【課題を解決するための手段】
【０００９】
本発明の歯科用光重合器は、前記目的を達成せんとするもので、請求項１の手段は、可視光を誘導する導光部の屈曲部における少なくとも外径部を覆う筒状の遮光部材を装着したことを特徴とする。
【００１０】
請求項２の手段は、前記した請求項１において、前記遮光部材の略中間部に、屈曲性を良くするための開口部を形成したことを特徴とする。
【００１１】
請求項３の手段は、前記した請求項１において、前記遮光部材の内面に導光部に対して線接触となるよに複数のリブを形成したことを特徴とする。
【００１２】
請求項４の手段は、前記した請求項１において、前記遮光部材を柔軟性を有し、かつ、光不透過性のゴムや合成樹脂で形成したことを特徴とする。
【発明の効果】
【００１３】
本発明は前記したように、可視光を誘導する導光部の屈曲部における少なくとも外径部を覆う筒状の遮光部材を着脱自在に装着したので、施術中に導光部より光が外部に漏れることがないので、ドクターなどの施術者が歯牙の修復作業を行う際に施術者の視覚に入ることがなく、従って、施術に支障をきたすことがなく安心して施術が行えるものである。
【００１４】
また、遮光部材の略中間部に、屈曲性を良くするための開口部を形成したので、導光部の湾曲に対してフィットした状態で装着でき、かつ、導光部への装着が簡単に行えるものである。
【００１５】
さらに、遮光部材の内面に導光部に対して線接触となるように複数のリブを形成したので、導光部への装着および取外し時における摩擦抵抗が小さくなって着脱が簡単に行え、また、着脱自在が可能であることから、導光部が破損したような場合にも、遮光部材は他の光重合器に利用することが可能である。
【００１６】
また、遮光部材を柔軟性を有するので、メーカによって形状が異なる導光部にも装着することが可能であり、かつ、光不透過性の材料であることから、光漏れによる施術者の目に対する眩しさを与えることがない等の効果を有するものである。
【発明を実施するための最良の形態】
【００１７】
本発明は、可視光を誘導する導光部の屈曲部における少なくとも外径部を覆う筒状の遮光部材を装着したものである。
【実施例１】
【００１８】
以下、本発明に係る歯科用光重合器の一実施例を図面とともに説明する。
１は公知の歯科用光重合器本体、２は該歯科用光重合器本体１に対して着脱自在に取付けられ、前記歯科用光重合器本体１から放射される可視光を誘導するための導光部であり、先端面２ｂに至る途中に屈曲部２ａが形成されている。
【００１９】
３は柔軟性を有し、かつ、光不透過性のゴムや合成樹脂で形成した円筒状の遮光部材にして、先端部３ａは垂直に、後端部３ｂは後述する開口部３ｃ側が前記先端部３ａよりの長さが短くなるようにカットされている。これは、遮光部材３を前記導光部２に装着する際に、挿入し易くするためである。
【００２０】
また、遮光部材３の略中間部には開口部３ｃが形成されている。これは、遮光部材３を導光部２に装着した状態において、導光部２における屈曲部２ａの内径部（曲率半径が小さい側）による屈曲率に対応させてフィットさせるためである。この場合、開口部３ｃと対応する延伸部３ｄは延びることは当然である。
【００２１】
さらに、遮光部材３の内周面における先端側と後端側にそれぞれ複数本のリブ３ｅ，３ｆが形成されている。これは、遮光部材３を導光部２ａに装着する際、および取り外す際に遮光部材３の内周面と導光部２ａの外周面との接触面積を小さくして着脱を容易にするためである。
【００２２】
前記した遮光部材３を前記導光部２に装着することで、歯科用光重合器本体１から導光部２に導入された可視光の光が導光部２内で乱反射しても、遮光部材３が光不透過性であることから外部に漏れることがなく、従って、図５に示すように、歯牙の修復部への照射方向Ｘに対して、乱反射による可視光がドクター等の施術者Ａの目に入ることがなく、従来のような眩しさによる施術の不都合を防止できる。
【００２３】
また、遮光部材３は、ゴムや合成樹脂等の柔軟性を有する材料で構成されているので、万一床などに落下させても落下の衝撃が緩和され導光２ａの破損を防止することができ、さらに、遮光部材３の先端部３ａを導光部２の先端面２ａと面一となるように装着することで、前記衝撃において導光部２の先端も保護されるものである。
【図面の簡単な説明】
【００２４】
【図１】本発明に係る歯科用光重合器の全体を示す斜視図である。
【図２】遮光部材の断面図である。
【図３】遮蔽部材を歯科用光重合器の導光部に装着した状態の断面図である。
【図４】同上におけるリブ部分を断面した断面図である。
【図５】本発明の歯科用光重合器による施術時の作用を説明するための側面図である。
【図６】従来の歯科用光重合器による施術時の作用を説明するための側面図である。
【符号の説明】
【００２５】
１            歯科用光重合器本体
２            導光部
２ａ          屈曲部
２ｂ          先端面
３            遮光部材
３ａ          先端部
３ｂ          後端部
３ｃ          開口部
３ｄ          延伸部
３ｅ，３ｆ    リブ
【図１】
2005334393.tif 000003
【図２】
2005334393.tif 000004
【図３】
2005334393.tif 000005
【図４】
2005334393.tif 000006
【図５】
2005334393.tif 000007
【図６】
2005334393.tif 000008